(57)【要約】【課題】  本発明は立体的でカラーに短時間に仕上げることができる魚拓等の拓の製造方法および魚拓等の拓を得るにある。【解決手段】  拓にする魚等をカメラ携帯電話機やデジタルカメラで撮影する撮影工程と、この撮影工程で撮影されたデータで金属材、合成樹脂材、スポンジ、布、皮  等の印刷される物にインクジェットによるカラー印刷を行なうカラー印刷工程と、このカラー印刷工程でカラー印刷された、印刷された物を拓にする魚等の輪郭にレザーカッタで切断する切断工程と、この切断工程で拓にする魚等の輪郭に切断された拓本体を額縁や台板に取付ける取付け工程とで魚拓等の拓の製造方法を構成している。【選択図】  図１
2007030368.tif 000002
【特許請求の範囲】
【請求項１】
拓にする魚等をカメラ携帯電話機やデジタルカメラで撮影する撮影工程と、この撮影工程で撮影されたデータで金属材、合成樹脂材、スポンジ、布、皮  等の印刷される物にインクジェットによるカラー印刷を行なうカラー印刷工程と、このカラー印刷工程でカラー印刷された、印刷された物を拓にする魚等の輪郭にレザーカッタで切断する切断工程と、この切断工程で拓にする魚等の輪郭に切断された拓本体を額縁や台板に取付ける取付け工程とからなることを特徴とする魚拓等の拓の製造方法。
【請求項２】
拓にする魚等のそばにメジャーを配置して、カメラ携帯電話機やデジタルカメラで撮影する撮影工程と、この撮影工程で撮影されたデータで金属材、合成樹脂材、スポンジ、布、皮等の印刷される物にインクジェットによるカラー印刷を行なうカラー印刷工程と、このカラー印刷工程でカラー印刷された、印刷された物をメジャーを含む拓にする魚等の輪郭にレザーカッタで切断する切断工程と、この切断工程で拓にする魚等の輪郭に切断された拓本体を額縁や台板に取付ける取付け工程とからなることを特徴とする魚拓等の拓の製造方法。
【請求項３】
拓にする魚等をカメラ携帯電話機やデジタルカメラで撮影し、この撮影されたデータで合成樹脂材、スポンジ、布、皮等の印刷される物にインクジェットによるカラー印刷を行なった後、拓にする魚等の輪郭にレザーカッタで切断して形成した拓本体と、この拓本体を収納する額縁あるいは該拓本体を取付ける台板とからなることを特徴とする魚拓等の拓。
【請求項４】
拓にする魚等をカメラ携帯電話機やデジタルカメラで撮影する撮影工程と、この撮影工程で撮影されたデータから拓にする魚等の輪郭の切りだし
データを作り、金属材、合成樹脂材、スポンジ、布、皮  等の印刷される物に該切りだしデータで拓にする魚等の輪郭の角部をおとす切りだし加工工程と、この切りだし加工工程で切り出された拓にする魚等の部分にインクジェットによるカラー印刷を行なうカラー印刷工程と、このカラー印刷工程でカラー印刷された、印刷された物を拓にする魚等の輪郭にレザーカッタで切断する切断工程と、この切断工程で拓にする魚等の輪郭に切断された拓本体を額縁や台板に取付ける取付け工程とからなることを特徴とする魚拓等の拓の製造方法。
【発明の詳細な説明】
【技術分野】
【０００１】
本発明は人や動物、魚等の魚拓等の拓の製造方法および魚拓等の拓に関する。
【背景技術】
【０００２】
最近、写真魚拓が行なわれているが、これはネガあるいはデジタル画像を写真印画紙にプリントするだけのものであった。
【０００３】
このため、立体感が得られず、単なる写真に過ぎないという欠点があった。
【特許文献１】特になし
【発明の開示】
【発明が解決しようとする課題】
【０００４】
本発明は以上のような従来の欠点に鑑み、立体的でカラーに短時間に仕上げることができる魚拓等の拓の製造方法および魚拓等の拓を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は拓にする魚等をカメラ携帯電話機やデジタルカメラで撮影する撮影工程と、この撮影工程で撮影されたデータで金属材、合成樹脂材、スポンジ、布、皮  等の印刷される物にインクジェットによるカラー印刷を行なうカラー印刷工程と、このカラー印刷工程でカラー印刷された、印刷された物を拓にする魚等の輪郭にレザーカッタで切断する切断工程と、この切断工程で拓にする魚等の輪郭に切断された拓本体を額縁や台板に取付ける取付け工程とで魚拓等の拓の製造方法を構成している。
【０００７】
本発明は拓にする魚等をカメラ携帯電話機やデジタルカメラで撮影し、この撮影されたデータで金属材、合成樹脂材、スポンジ、布、皮等の印刷される物にインクジェットによるカラー印刷を行なった後、拓にする魚等の輪郭にレザーカッタで切断して形成した拓本体と、この拓本体を収納する額縁あるいは該拓本体を取付ける台板とで魚拓等の拓を構成している。
【発明の効果】
【０００８】
以上の説明から明らかなように、本発明にあっては次に列挙する効果が得られる。
【０００９】
（１）拓にする魚等をカメラ携帯電話機やデジタルカメラで撮影する撮影工程と、この撮影工程で撮影されたデータで金属材、合成樹脂材、スポンジ、布、皮  等の印刷される物にインクジェットによるカラー印刷を行なうカラー印刷工程と、このカラー印刷工程でカラー印刷された、印刷された物を拓にする魚等の輪郭にレザーカッタで切断する切断工程と、この切断工程で拓にする魚等の輪郭に切断された拓本体を額縁や台板に取付ける取付け工程とからなるので、印刷される物にカラー印刷された、拓にする魚等の輪郭にレザーカッタで切断して形成した拓本体を額縁や台板に取付けるため、立体的でカラーに仕上げることができる。
したがって、高級感の拓に仕上げることができる。
【００１０】
（２）前記（１）によって、カメラ携帯電話機やデジタルカメラ、インクジェットによるカラー印刷機、レザーカッタを用いるだけでよいので、比較的容易に実施することができる。
【００１１】
（３）前記（１）によって、印刷される物は弧状であっても、インクジェットによるカラー印刷ができるので、弧状の印刷される物を用いることにより、より立体的に仕上げることができる。
【００１２】
（４）前記（１）によって、特殊で時間のかかる作業を行なわないので、短時間に仕上げることができる。
【００１３】
（５）請求項２、３も前記（１）〜（４）と同様な効果が得られる。
【発明を実施するための最良の形態】
【００１４】
以下、図面に示す本発明を実施するための最良の形態より、本発明を詳細に説明する。
【００１５】
図１ないし図７に示す本発明を実施するための最良の第１の形態において、１は本発明の魚拓等の拓の製造方法で、この魚拓等の拓の製造方法１は図２に示すように、拓にする魚等２、本発明を実施する形態では魚をカメラ携帯電話機やデジタルカメラ３で魚の近くに、必要に応じてメジャー４を配置して撮影する撮影工程５と、この撮影工程５で撮影されたデータを図３に示すように、パソコンや携帯電話機を用いたデータ通信、郵便や持ち込みにより図４に示すように金属材、アクリル、エンビ、エーピーエス等の合成樹脂材、スポンジ、布、皮等の印刷される物６に５０ｍｍの高低差のあるものにも印刷できるインクジェットカラー印刷機７でカラー印刷を行なうカラー印刷工程８と、このカラー印刷工程８でカラー印刷された、印刷された物９を図５に示すように、メジャー４を含む拓にする魚の輪郭にレザーカッタ１０で切断する切断工程１１と、この切断工程１１で切断された拓本体１２を、図６および図７に示すように額縁１３のベース板１４に固定したり、額縁形状に前述のインクジェットカラー印刷機７でプリントされた台板１５に固定状態で取付ける拓１６、１６Ａにする取付け工程１７とで構成されている。
【００１６】
このような方法で製造された拓１６、１６Ａはベース板１４や台板１５に魚等の輪郭に切断された拓本体１２が固定的に取付けられているので、立体的となり、美観の向上を図ることができる。
また、台板１５に額縁形状にプリントする場合に、魚等の体長、重さ、魚名、場所、立会人等の説明も同時にプリントすることができる。
[発明を実施するための異なる形態]
【００１７】
次に、図８ないし図２０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図８ないし図１０に示す本発明を実施するための第２の形態において、前記本発明を実施するための最良の第１の形態と主に異なる点は、印刷される物６Ａとして透明なパイプ材を用いてカラー印刷工程８Ａを行なった点で、このようなカラー印刷工程８Ａを用いて構成した魚拓等の拓の製造方法１Ａで魚拓等の拓１６Ｂを製造しても、前記本発明を実施するための最良の第１の形態と同様な作用効果が得られるとともに、拓本体１２Ａが弧状となり、より立体感を出すことができる。
【００１９】
図１１ないし図１３に示す本発明を実施するための第３の形態において、前記本発明を実施するための最良の第１の形態と主に異なる点は、拓にする魚等２Ａとして採取した蝶をカメラ携帯電話機やデジタルカメラ３で撮影する撮影工程５Ａを行なった点で、このような撮影工程５Ａを用いて構成した魚拓等の拓の製造方法１Ｂで蝶の拓１６Ｃを製造しても、前記本発明を実施するための最良の第１の形態と同様な作用効果が得られる。
【００２０】
図１４ないし図１６に示す本発明を実施するための第４の形態において、前記本発明を実施するための最良の第１の形態と主に異なる点は、拓にする魚等２Ｂ      として犬や猫をカメラ携帯電話機やデジタルカメラ３で撮影する撮影工程５Ｂを行なった点で、このような撮影工程５Ｂを用いて構成した魚拓等の拓の製造方法１Ｃで、犬や猫の拓１６Ｄを製造しても、前記本発明を実施するための最良の第１の形態と同様な作用効果が得られる。
【００２１】
図１７ないし図２０に示す本発明を実施するための第５の形態において、前記本発明を実施するための最良の第１の形態と主に異なる点は、撮影工程５で撮影されたデータから拓にする魚等２の輪郭の切りだしデータを作り、金属材、合成樹脂材、スポンジ、布、皮  等の印刷される物６に該切りだしデータで拓にする魚等の輪郭の角部１８をおとす切りだし加工工程１９と、この切りだし加工工程１９で切り出された拓にする魚等2の部分にインクジェットによるカラー印刷を行なうカラー印刷工程８Bとを行った点で、このような切りだし加工工程１９やカラー印刷工程８Bを用いて構成した魚拓等の拓の製造方法１Ｄで、魚等の拓１６Ｅを製造しても、前記本発明を実施するための最良の第１の形態と同様な作用効果が得られるとともに、魚等の拓１６Ｅの魚等２の輪郭の角部１８をおとしているため、より立体的に加工することができる。
【００２２】
なお、前記本発明を実施するための各形態では、額縁や額縁状の台板に拓本体を固定するものについて説明したが、本発明はこれに限らず、拓本体を表面に固定できるものであればどんな材質でも、どんな形状のものであっても台板として使用することができる。
【産業上の利用可能性】
【００２３】
本発明は魚拓等の拓を製造する産業で利用される。
【図面の簡単な説明】
【００２４】
【図１】本発明を実施するための最良の第１の形態の工程図。
【図２】本発明を実施するための最良の第１の形態の撮影工程の説明図。
【図３】本発明を実施するための最良の第１の形態のデータの持ち込みの説明図。
【図４】本発明を実施するための最良の第１の形態のカラー印刷工程の説明図。
【図５】本発明を実施するための最良の第１の形態の切断工程の説明図。
【図６】本発明を実施するための最良の第１の形態の額縁に取付ける取付け工程の説明図。
【図７】本発明を実施するための最良の第１の形態の台板に取付ける取付け工程の説明図。
【図８】本発明を実施するための第２の形態の工程図。
【図９】本発明を実施するための第２の形態のカラー印刷工程の説明図。
【図１０】本発明を実施するための第２の形態の拓の斜視図。
【図１１】本発明を実施するための第３の形態の工程図。
【図１２】本発明を実施するための第３の形態の撮影工程の説明図。
【図１３】本発明を実施するための第３の形態の拓の説明図。
【図１４】本発明を実施するための第４の形態の工程図。
【図１５】本発明を実施するための第４の形態のカラー印刷工程の説明図。
【図１６】本発明を実施するための第４の形態の拓の説明図。
【図１７】本発明を実施するための第５の形態の工程図。
【図１８】本発明を実施するための第５の形態の切りだし加工工程の説明図。
【図１９】図１８の１９−１９線に沿う断面図。
【図２０】本発明を実施するための第５の形態の拓の説明図。
【符号の説明】
【００２５】
１、１Ａ、１Ｂ、１Ｃ、１Ｄ：魚拓等の拓の製造方法、
２、２Ａ、２Ｂ：拓にする魚等、
３：カメラ携帯電話機やデジタルカメラ、
４：メジャー、                ５、５Ａ、５Ｂ：撮影工程、
６、６Ａ：印刷される物、                        
７：インクジェットカラー印刷機、
８、８Ａ、８Ｂ：カラー印刷工程、
９：印刷された物、            １０：レザーカッタ、
１１：切断工程、              １２、１２Ａ：拓本体、
１３：額縁、                  １４：ベース板、
１５：台板、
１６、１６Ａ、１６Ｂ、１６Ｃ、１６Ｄ、１６Ｅ：拓、
１７：取付け工程、            １８：拓にする魚等の輪郭の角部、
１９：切りだし加工工程。
【図１】
2007030368.tif 000003
【図２】
2007030368.tif 000004
【図３】
2007030368.tif 000005
【図４】
2007030368.tif 000006
【図５】
2007030368.tif 000007
【図６】
2007030368.tif 000008
【図７】
2007030368.tif 000009
【図８】
2007030368.tif 000010
【図９】
2007030368.tif 000011
【図１０】
2007030368.tif 000012
【図１１】
2007030368.tif 000013
【図１２】
2007030368.tif 000014
【図１３】
2007030368.tif 000015
【図１４】
2007030368.tif 000016
【図１５】
2007030368.tif 000017
【図１６】
2007030368.tif 000018
【図１７】
2007030368.tif 000019
【図１８】
2007030368.tif 000020
【図１９】
2007030368.tif 000021
【図２０】
2007030368.tif 000022